(57)【要約】【課題】縦形ポンプ付き容器において、容器体と装着筒と押下げヘッドの各前面を同一方向へ向けて統制的に組付けできるよう設けた。【解決手段】容器体口頸部２への装着筒１１螺合部分の始端とリードとを一定とすることで、容器体に定めた前面と装着筒１１に定めた前面とが同一方向へ向くよう設け、又装着筒１１から起立する第１係合筒１３と、該第１係合筒へ嵌合させる、押下げヘッド３３の第２係合筒３５との各対向面へ第１、第２係合突条１４，３６  を縦設して、装着筒１１に対する押下げヘッド３３の回動を阻止させると共に、第１係合突条１４一部を切除して該切除部分１５を目印として押下げヘッド３３を嵌合させることで、装着筒１１の仮想前面と押下げヘッド３３仮想前面としてのノズル３２突出面とを一致させて、容器体、装着筒、押下げヘッドを統一的に組付け可能とした。【選択図】    図５
2004261719.tif 000002
【特許請求の範囲】
【請求項１】
容器体口頸部外面へ螺合させた装着筒で、吸上げパイプ付きシリンダを容器体内へ垂下し、該シリンダ内から上方付勢されて起立するステムの上端部へ、ノズル付きの押下げヘッドを嵌合させ、又上記装着筒から起立させた第１係合筒上部へ押下げヘッドから垂設した第２係合筒下部を摺動自在に嵌合させた縦形ポンプ付き容器において、
上記口頸部２と装着筒１１螺合部分の始端とリードとを一定に定めることで、予め定めた容器体１の仮想前面と装着筒仮想前面とを一致させると共に、
上記第１、第２係合筒１３，３５  の各対向面へ、複数の第１、第２係合突条１４，３６  をほぼ等間隔に、かつ第１係合突条１４間へ第２係合突条３６を嵌合させ、又一部の第１係合突条を切除して、該切除部分１５を目印として、装着筒仮想前面と押下げヘッド仮想前面としてのノズル３２付設面とを一致させた
ことを特徴とする、縦形ポンプ付き容器。
【請求項２】
上記第１係合筒１３の外面へ第１係合突条１４を、かつ第２係合筒３５内面へ第２係合突条３６を、それぞれ縦設して、第１係合突条１４の上部間へ、第２係合突条３６下部をそれぞれ嵌合させた
ことを特徴とする、請求項１記載の縦形ポンプ付き容器。
【請求項３】
上記第１係合突条切除部分１５を有する装着筒１１外面側と、ノズル３２を有する押下げヘッド外面側と、胴部外面へ付設した印刷模様ないし胴部外形によって定めた容器体の外面側とを、それ等装着筒１１、押下げヘッド３３、容器体１の各仮想前面となし、それ等各仮想前面を容器一方の外面側へ位置させて、該容器一方外面側を容器の仮想前面とした
ことを特徴とする、請求項１又は２記載の縦形ポンプ付き容器。
【請求項４】
上記第１、第２係合筒１３，３５  へ縦設した第１、第２係合突条１４，３６  の上端と下端とのうち、いずれか一方ないし双方を山形状ないし鋭角状部１６，３７  に形成した  ことを特徴とする請求項１、２又は３記載の縦形ポンプ付き容器。
【請求項５】
上記吸上げパイプ２３を下外方へ弯曲させてその下端を容器体底壁の外周部へ位置させると共に、容器上方からみて吸上げパイプの弯曲による突出方向とノズル３２の突出方向とほぼ同一とした
ことを特徴とする請求項１、２、３又は４記載の縦形ポンプ付き容器。
【発明の詳細な説明】
【０００１】
【発明の属する技術分野】
本発明は縦形ポンプ付き容器に関する。
【０００２】
【従来の技術】
特許文献１が示すように、容器体口頸部外面へ嵌合させた装着筒で、吸上げパイプ付きのシリンダを容器体内へ垂下し、該シリンダ内から上方付勢させて起立させたステム上端部へ、ノズル付き押下げヘッドを嵌合させ、又上記装着筒から起立させた第１係合筒上部へ、押下げヘッドから垂設した第２係合筒下部を摺動自在に嵌合させた縦形ポンプ付き容器体が従来広く用いられている。
【０００３】
又特許文献２が示すように、容器体へ装着させたポンプ下端から、容器体内へ垂下する吸上げパイプを下外方へ弯曲させて、その下端を容器体底壁の外周部分へ位置させることも広く行われている。
【０００４】
【特許文献１】
特開平１０−３２３５８８号公報
【特許文献２】
特開２００１−８７６８３号公報
【０００５】
【発明が解決しようとする課題】
上記のような縦形ポンプ付き容器は、販売時の展示状態において、容器体胴部外面に施した印刷模様等と対応させてノズルを突出させておくことが要求される。つまり上記印刷模様等とノズル突出方向とが統一されていないと複数容器が無秩序に展示されることとなって外見上好ましくない。
【０００６】
又既述特許文献２が示すように、吸上げパイプ下部を下外方へ弯曲させてその下端を底壁外周へ位置させておき、容器体を傾けてその底壁外周部へ残液を集め、パイプ下端をその残液中に水没させた状態でポンプ操作し、残液を残さず吐出する場合は、容器上方からみた吸上げパイプの弯曲突出方向とノズル突出方向とを一致させることが望ましい。
【０００７】
上記縦形ポンプは、予めポンプを一体的に組付けておき、これを容器体へ装着させるから、その一体的組付け状態において、装着筒と押下げヘッドとを回動不能に、かつ吸上げパイプとノズルとの突出方向を同じにしておき、口頸部への装着筒螺合完了時において容器体前方へノズルが突出するようにすれば、上記要望は満足されることとなる。
【０００８】
尚容器体仮想前面と装着筒に定めた仮想前面とを一致させることは、容器体口頸部と装着筒との螺合部分の始端とリードとを予め一定に定めておくことで可能である。
【０００９】
上記のように、容器体と装着筒と押下げヘッドとを、それぞれに定めた仮想前面を共に一方へ位置させて組付けすることで、複数容器を統制的に展示させることが出来るが、押下げヘッドは、消費者使用時に何等かの理由によりステムから抜出すことがあり、このような場合は上記仮想前面とは関係なく、ステム上部への再嵌合が容易であることが望ましい。
【００１０】
本発明は容器組付けの際には上記各仮想前面を一方へ揃えて、複数容器の統制組付けが容易とすると共に、消費者が押下げヘッドを再嵌合する際は、上記仮想前面と無関係に容易に再嵌合することが可能としたものである。
【００１１】
【課題を解決するための手段】
第１の手段として容器体口頸部外面へ螺合させた装着筒で、吸上げパイプ付きシリンダを容器体内へ垂下し、該シリンダ内から上方付勢されて起立するステムの上端部へ、ノズル付きの押下げヘッドを嵌合させ、又上記装着筒から起立させた第１係合筒上部へ押下げヘッドから垂設した第２係合筒下部を摺動自在に嵌合させた縦形ポンプ付き容器において、
上記口頸部２と装着筒１１螺合部分の始端とリードとを一定に定めることで、予め定めた容器体１の仮想前面と装着筒仮想前面とを一致させると共に、
上記第１、第２係合筒１３，３５  の各対向面へ、複数の第１、第２係合突条１４，３６  をほぼ等間隔に、かつ第１係合突条１４間へ第２係合突条３６を嵌合させ、又一部の第１係合突条を切除して、該切除部分１５を目印として、装着筒仮想前面と押下げヘッド前面としてのノズル３２付設面とを一致させた。
【００１２】
第２の手段として上記第１の手段を有すると共に上記第１係合筒１３の外面へ第１係合突条１４を、かつ第２係合筒３５内面へ第２係合突条３６を、それぞれ縦設して、第１係合突条１４の上部間へ、第２係合突条３６下部をそれぞれ嵌合させた。
【００１３】
第３の手段として、上記第１、又は第２の手段を有すると共に上記第１係合突条切除部分１５を有する装着筒１１外面側と、ノズル３２を有する押下げヘッド外面側と、胴部外面へ付設した印刷模様ないし胴部外形によって定めた容器体の外面側とを、それ等装着筒１１、押下げヘッド３３、容器体１の各仮想前面となし、それ等各仮想前面を容器一方の外面側へ位置させて、該容器一方外面側を容器の仮想前面とした。
【００１４】
第４の手段として、上記第１、第２、又は第３の手段を有すると共に上記第１、第２係合筒１３，３５  へ縦設した第１、第２係合突条１４，３６  の上端と下端とのうち、いずれか一方ないし双方を山形状ないし鋭角状部１６，３７  に形成した。
【００１５】
第５の手段として、上記第１、第２、第３、又は第４の手段を有すると共に上記吸上げパイプ２３を下外方へ弯曲させてその下端を容器体底壁の外周部へ位置させると共に、容器上方からみて吸上げパイプの弯曲による突出方向とノズル３２の突出方向とほぼ同一とした。
【００１６】
【発明の実施の形態】
以下図面について説明する。まず従来公知の部分について簡単に説明すると、１は胴部上端から肩部を介して口頸部２を起立する容器体で、口頸部外面へは雄ねじを付設している。
【００１７】
１１は上記口頸部外面へ螺合させた装着筒で、該装着筒は上端へ内向きフランジ状頂壁１２を付設し、かつ該頂壁内周から第１係合筒１３を起立する。
【００１８】
２１は、シリンダで、該シリンダ上部に付設した外向きフランジ２２を、上記装着筒の上端部内面へ嵌合させ、その外向きフランジ２２を容器体口頸部の上端面と上記内向きフランジ状頂壁１２との間で、口頸部との間にパッキングを介在させて挟持させている。尚該シリンダは、装着筒上端から内向きフランジを介して垂設し、これ等装着筒とシリンダとを一体成形することもある。そのシリンダ下端からは図５が示すように吸上げパイプ２３を垂下させる。該吸上げパイプは下外方へ弯曲させ、その下端を底壁外周部へ位置させるとよい。
【００１９】
上記シリンダ内からは、下端ないし下方に筒状ピストンを有するステム３１を上方付勢させて起立させ、該ステム上部には、ノズル３２付きの押下げヘッド３３から垂下させたステム嵌合筒３４を嵌合させ、かつ頂壁外周から第２係合筒３５を垂下している。
【００２０】
尚４１は、必要に応じて設けるカバー筒で、該カバー筒下半４２は装着筒１１外面へ嵌合させ、その下半上端から内向きフランジを介して起立した上半４３内へ、上記第２係合筒３５下部を遊挿させている。又５１はキャップで、周壁５２下部をカバー筒上半外面へ嵌合させ、又その周壁前部へノズル３２を挿通させる割溝５３を周壁下端へ開口させて穿設している。
【００２１】
本発明にあっては、複数容器の容器体口頸部２と装着筒１１との螺合部分の始端、つまり雄ねじ上端と雌ねじ下端とが始めに螺合する位置と、リードつまり装着筒の螺進および螺退の距離とを一定に定めておく。
【００２２】
又既述装着筒の第１係合筒１３外面と、押下げヘッドから垂下する第２係合筒３５の内面とへ、第１、第２係合突条１４，３６  をほぼ等間隔に、かつ第１係合突条１４上部間へ、第２係合突条３６下部を下降および復帰可能に嵌合させた。第１係合突条の一部は、図２が示すように切除して該切除部分１５を装着筒の前面を定める目印とした。
【００２３】
尚第２係合筒３５を第１係合筒１３内面へ嵌合させて、それぞれに付設した係合突条を嵌合させてもよく、又第２係合筒３５を既述ステム嵌合筒３４と兼用させて、ステム嵌合筒外面へ縦設した第２係合突条３６と第１嵌合筒内面の第１係合突条とを嵌合させてもよい。
【００２４】
上記第１係合突条１４の上端部と第２係合突条３６の下端部とのうち、いずれかの一方ないし双方は図６が示すように山形状の、ないしは図６Ｃが示すように棒部先端を斜めに切断した形状の鋭角状部１６，３７  に形成するとよい。このようにすることで、一方係合突条先端が、他方係合突条の傾斜面へ接することでその傾斜面に沿って摺動し、一方係合突条間へ他方係合突条は案内され嵌合することとなる。
【００２５】
容器体１の仮想前面は、胴部外面へ付設した印刷模様により、又胴部の形状等により定めればよい。装着筒１１仮想前面は、既述第１係合突条の切除部分を有する側で定めればよいが、その切除部分を装着筒の後面ないし側面とすることも出来る。押下げヘッド３３前面はノズル３２を有する側を前面とするとよい。
【００２６】
既述のように容器体口頸部２と装着筒１１との螺合部分始端とリードとを、装着筒の螺合完了時に容器体仮想前面と装着筒仮想前面とが同方向へ向くよう設けておき、装着筒の第１係合筒１３へ押下げヘッドの第２係合筒３５を、容器体および装着筒の各仮想前面と押下げヘッドのノズル３２を有する面とが一致するよう嵌合させることで、上記各部材の各仮想前面を容器前方へ揃えることが出来る。
【００２７】
上記構成において、キャップ５１を外し、押下げヘッド３３を押下げ、又弾性復帰させることで、容器体内液体はシリンダ２１内へ吸込みされ、かつ該シリンダ内液体はステム３１内を通りノズル３２から吐出される。容器体内液体が無くなった後は、吸上げパイプ２３下端が位置する側が下方となるよう容器体を傾けて残存液体を吸上げパイプ下端側へ集めてその下端を残存液体中に水没させ、ポンプ操作することで、その残存液体も吐出させることが出来る。
【００２８】
【発明の効果】
請求項１記載のように第１係合突条１４間へ第２係合突条３６を嵌合させることで、装着筒１１に対して押下げヘッド３３が回動することがなく、又その第１係合突条一部を切除したから、該切除部分１５を目印として装着筒の仮想前面を定めることが出来、容器体胴部の模様等とノズル突出方向とを統一的に一致させることが容易となる。
【００２９】
又消費者使用時に押下げヘッド３３が外れた場合は、第１、第２係合筒１３、３５の各対向面へ付設させた第１、第２係合突条１４、３６が、それぞれほぼ等間隔に付設してあるから、切除部分１５の位置と無関係に第１係合筒１３外面へ押下げヘッド３３の第２係合筒３５を嵌合させることが出来る便利がある。
【００３０】
請求項２のようにすることで、第１係合突条切除部分１５は第１係合筒１３の外面に形成されることとなり、よって該第１係合突条切除部分１５を目印として行う、第１係合筒１３外面への第２係合筒３５の嵌合が容易となる。
【００３１】
請求項３のようにすることで、容器体と装着筒と押下げヘッドとの各仮想前面を容器仮想前面へ位置させることが出来、よって店頭等での展示時に各容器外見を統制させることが出来、展示効果を高めることが出来る。
【００３２】
請求項４のようにすることで、第１係合筒１３への第２係合筒３５の嵌合が容易かつ迅速に行える。
【００３３】
請求項５のようにすることで、容器体内へ液体を残さず、収納液体のほぼ全部を吐出させることができ、又容器体および収納液体が透明であれば、外見上吸上げパイプ突出方向とノズル突出方向とが統制されていることで上記展示効果を更に高めることが出来る。
【図面の簡単な説明】
【図１】本発明容器要部の断面図である。
【図２】図１Ａ−Ａ’線を矢示方向へみた断面図である。
【図３】上記容器主要部材の半断面図である。
【図４】他の主要部材の断面図である。
【図５】一部を省略して示す、本発明容器の断面図である。
【図６】同図Ａ，Ｂ，Ｃは、それぞれ第１係合突条と第２係合突条との嵌合状態を説明する展開図である。
【符号の説明】
１…容器体                        ２…口頸部
１１…装着筒                  １３…第１係合筒
１４…第１係合突条              １５…切除部分
１６…鋭角状部                  ２１…シリンダ
２３…吸上げパイプ            ３１…ステム
３３…押下げヘッド            ３５…第２係合筒
３６…第２係合突条            ３７…鋭角部
【図１】
2004261719.tif 000003
【図２】
2004261719.tif 000004
【図３】
2004261719.tif 000005
【図４】
2004261719.tif 000006
【図５】
2004261719.tif 000007
【図６】
2004261719.tif 000008